(57)【要約】【課題】互いに対向して配置され回転するギア同士の接触によって回転むらや振動が発生することを抑止した駆動伝達装置、およびこれを備えた画像形成装置を提供する。【解決手段】駆動伝達部５Ａは、シャフト５Ｓと、第６伝達ギア５８と、第３伝達ギア５３と、磁石５８Ｇと、磁石５３Ｇとを備える。第６伝達ギア５８および第３伝達ギア５３は、シャフト５Ｓ上に隣接して配置されている。磁石５８Ｇは、第６伝達ギア５８の側面部に配置され、第３伝達ギア５３に対向する面に所定の極性を備える。磁石５３Ｇは、軸方向において磁石５８Ｇに対向して、第３伝達ギア５３の側面部に配置される。磁石５３Ｇは、磁石５８Ｇに対向する面に磁石５８Ｇの極性と同じ極性を備える。【選択図】図３
2017134204.tif 000002
【特許請求の範囲】
【請求項１】
シャフトと、
前記シャフトに外嵌される第１軸受部と、第１側面部と、を備え、前記シャフト回りに回転され、所定のギアと係合されることで回転駆動力を伝達する第１ギアと、
前記シャフトに外嵌される第２軸受部と、前記シャフトの軸方向において前記第１側面部に対向して配置される第２側面部を備え、前記シャフト回りに回転され、所定のギアと係合されることで回転駆動力を伝達する第２ギアと、
前記第１ギアの前記第１側面部に配置され、前記第２側面部に対向する面に所定の極性を備える第１磁性体と、
前記第２ギアの前記第２側面部に、前記軸方向において前記第１磁性体に対向して配置され、前記第１磁性体に対向する面に前記第１磁性体の極性と同じ極性を備える第２磁性体と、
を有することを特徴とする駆動伝達装置。
【請求項２】
前記第１磁性体および前記第２磁性体は、前記シャフトの周囲を覆うように配置されていることを特徴とする請求項１に記載の駆動伝達装置。
【請求項３】
前記第１磁性体および前記第２磁性体は、前記第１ギアおよび前記第２ギアのうち前記軸方向において最も近接する領域に配置されていることを特徴とする請求項１または２に記載の駆動伝達装置。
【請求項４】
前記第１ギアと係合する第３ギアと、
前記第２ギアと係合する第４ギアと、
を更に有し、
前記第１ギア、前記第２ギア、前記第３ギアおよび前記第４ギアは、斜歯ギアであって、
前記第１ギアの斜歯と前記第３ギアの斜歯との係合によって、前記第１ギアに付与される前記軸方向の移動力の向きは、前記第２ギアの斜歯と前記第４ギアの斜歯との係合によって、前記第２ギアに付与される前記軸方向の移動力の向きとは反対であることを特徴とする請求項１乃至３の何れか１項に記載の駆動伝達装置。
【請求項５】
請求項１乃至４の何れか１項に記載の駆動伝達装置と、
前記第１ギアおよび前記第２ギアに伝達される前記回転駆動力を発生する駆動部と、
回転され周面に静電潜像が形成されるとともに、トナー像を担持する感光体ドラムと、
回転され前記感光体ドラムにトナーを供給する現像ローラーを備える現像装置と、
前記感光体ドラムからシートに前記トナー像を転写する転写装置と、
前記シートを搬送する搬送ローラーと、
を有することを特徴とする画像形成装置。
【請求項６】
前記第１ギアは、前記感光体ドラムに回転駆動力を伝達する駆動系に連結され、
前記第２ギアは、前記現像ローラーに回転駆動力を伝達する駆動系に連結されていることを特徴とする請求項５に記載の画像形成装置。
【請求項７】
前記第１ギアおよび前記第２ギアの少なくとも一方は、前記搬送ローラーに回転駆動力を伝達する駆動系に連結されていることを特徴とする請求項５に記載の画像形成装置。
【発明の詳細な説明】
【技術分野】
【０００１】
本発明は、駆動伝達装置、およびこれを備えた画像形成装置に関する。
【背景技術】
【０００２】
従来、シートに画像を形成する画像形成装置として、感光体ドラムと、露光装置と、現像装置と、転写装置と、定着装置と、を備えるものが知られている。露光装置によって感光体ドラム上に静電潜像が形成され、該静電潜像が現像装置によってトナー像として顕在化される。そして、感光体ドラム上のトナー像が転写装置によってシートに転写される。トナー像が転写されたシートは、定着装置によって定着処理を施された後、排出される。
【０００３】
上記のような画像形成装置には、回転駆動力を発生する駆動部（モーター）と、駆動部が発生する回転駆動力を回転体に伝達する駆動伝達装置が備えられている。回転体として、シートを搬送する搬送ローラーや感光体ドラムなどがあげられる。特許文献１には、搬送ローラーに回転駆動力を伝達する駆動伝達装置が開示されている。駆動伝達装置は、同じシャフト上に隣接して配置された２つの回転ギアを備えている。
【先行技術文献】
【特許文献】
【０００４】
【特許文献１】特開２００７−９９６９号公報
【発明の概要】
【発明が解決しようとする課題】
【０００５】
特許文献１に記載された技術では、シャフト回りにそれぞれの回転ギアが回転する。この際、互いに対向する面が摺擦すると、回転ギアの回転むらや振動が発生する。この結果、シートの搬送不良や異音が発生するという問題があった。更に、このような回転むらや振動が、感光体ドラムの周辺において発生すると、画像欠陥が発生するという問題があった。
【０００６】
本発明は、上記問題に鑑みてなされたものであり、互いに対向して配置され回転するギア同士の接触によって回転むらや振動が発生することを抑止した駆動伝達装置、およびこれを備えた画像形成装置を提供することを目的とする。
【課題を解決するための手段】
【０００７】
本発明の一局面に係る駆動伝達装置は、シャフトと、前記シャフトに外嵌される第１軸受部と、第１側面部と、を備え、前記シャフト回りに回転され、所定のギアと係合されることで回転駆動力を伝達する第１ギアと、前記シャフトに外嵌される第２軸受部と、前記シャフトの軸方向において前記第１側面部に対向して配置される第２側面部を備え、前記シャフト回りに回転され、所定のギアと係合されることで回転駆動力を伝達する第２ギアと、前記第１ギアの前記第１側面部に配置され、前記第２側面部に対向する面に所定の極性を備える第１磁性体と、前記第２ギアの前記第２側面部に、前記軸方向において前記第１磁性体に対向して配置され、前記第１磁性体に対向する面に前記第１磁性体の極性と同じ極性を備える第２磁性体と、を有することを特徴とする。
【０００８】
本構成によれば、第１磁性体および第２磁性体の同じ極性の磁性によって形成される反発力によって、第１ギアと第２ギアとが接触することが抑止される。このため、２つのギアの接触によって生じる回転むらや振動の発生が防止される。
【０００９】
上記の構成において、前記第１磁性体および前記第２磁性体は、前記シャフトの周囲を覆うように配置されていることが望ましい。
【００１０】
本構成によれば、シャフトの周辺において、第１ギアと第２ギアとが接触することが抑止される。このため、２つのギアの接触によって生じる回転むらや振動の発生が特に防止される。
【００１１】
上記の構成において、前記第１磁性体および前記第２磁性体は、前記第１ギアおよび前記第２ギアのうち前記軸方向において最も近接する領域に配置されていることが望ましい。
【００１２】
本構成によれば、２つのギアの接触によって生じる回転むらや振動の発生が確実に防止される。
【００１３】
上記の構成において、前記第１ギアと係合する第３ギアと、前記第２ギアと係合する第４ギアと、を更に有し、前記第１ギア、前記第２ギア、前記第３ギアおよび前記第４ギアは、斜歯ギアであって、前記第１ギアの斜歯と前記第３ギアの斜歯との係合によって、前記第１ギアに付与される前記軸方向の移動力の向きは、前記第２ギアの斜歯と前記第４ギアの斜歯との係合によって、前記第２ギアに付与される前記軸方向の移動力の向きとは反対であることが望ましい。
【００１４】
本構成によれば、第１ギアおよび第２ギアが回転駆動される際に、斜歯ギア同士の噛み合いによって、第１ギアと第２ギアとが接触することが抑止される。
【００１５】
本発明の他の局面に係る画像形成装置は、上記の何れか１に記載の駆動伝達装置と、前記第１ギアおよび前記第２ギアに伝達される前記回転駆動力を発生する駆動部と、回転され周面に静電潜像が形成されるとともに、トナー像を担持する感光体ドラムと、回転され前記感光体ドラムにトナーを供給する現像ローラーを備える現像装置と、前記感光体ドラムからシートに前記トナー像を転写する転写装置と、前記シートを搬送する搬送ローラーと、を有することを特徴とする。
【００１６】
本構成によれば、２つのギアの接触によって生じる回転むらや振動の発生が防止された画像形成装置が提供される。
【００１７】
上記の構成において、前記第１ギアは、前記感光体ドラムに回転駆動力を伝達する駆動系に連結され、前記第２ギアは、前記現像ローラーに回転駆動力を伝達する駆動系に連結されていることが望ましい。
【００１８】
本構成によれば、２つのギアの接触によって生じる振動によって、トナー像を形成する感光体ドラムと現像ローラーとの間の距離が変動することが抑止される。このため、トナー像の画質欠陥の発生が抑制される。
【００１９】
上記の構成において、前記第１ギアおよび前記第２ギアの少なくとも一方は、前記搬送ローラーに回転駆動力を伝達する駆動系に連結されていることが望ましい。
【００２０】
本構成によれば、２つのギアの接触によって生じる振動や回転むらによって、搬送ローラーの回転が変動することが抑止される。このため、シートの搬送不良が抑制される。
【発明の効果】
【００２１】
本発明によれば、互いに対向して配置され回転するギア同士の接触によって回転むらや振動が発生することを抑止した駆動伝達装置、およびこれを備えた画像形成装置が提供される。
【図面の簡単な説明】
【００２２】
【図１】本発明の一実施形態に係る画像形成装置の内部構造を概略的に示す断面図である。
【図２】本発明の一実施形態に係る駆動ユニットの背面図である。
【図３】本発明の一実施形態に係る駆動伝達部の断面図である。
【図４Ａ】本発明の一実施形態に係る第１ギアの斜視図である。
【図４Ｂ】本発明の一実施形態に係る第２ギアの斜視図である。
【図５Ａ】本発明の変形実施形態に係る第１ギアの斜視図である。
【図５Ｂ】本発明の変形実施形態に係る第２ギアの斜視図である。
【発明を実施するための形態】
【００２３】
以下、図面を参照しつつ、本発明の一実施形態について説明する。図１は、本実施形態に係るプリンター１００（画像形成装置）の内部構造を概略的に示す断面図である。図１に示される画像形成装置としてのプリンター１００は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。
【００２４】
プリンター１００は、シートＳに画像を形成するための様々な装置を収容する筐体２００を備える。筐体２００は、筐体２００の上面を規定する上壁２０１と、前壁２３５と、後壁２４５と、を含む。また、筐体２００は、各種の装置が配置される本体内部空間２６０を備える。本体内部空間２６０には、シート搬送路ＳＰが配設されている。
【００２５】
上壁２０１の中央部には、排紙部２１０が配置される。排紙部２１０は、上壁２１０の前方部分から後方部分にかけて、下方に傾斜した傾斜面からなる。排紙部２１０には、後記の画像形成部１２０において、画像が形成されたシートＳが排出される。
【００２６】
プリンター１００は、カセット１１０と、ピックアップローラー１１２と、給紙ローラー１１３と、中間搬送ローラー１１５と、レジストローラー対１１６（搬送ローラー）と、用紙検知スイッチ１１７と、画像形成部１２０とを備える。
【００２７】
カセット１１０は、内部にシートＳを収容する。カセット１１０は、シートＳを支持するリフト板１１１を備える。リフト板１１１は、シートＳの先頭縁を押し上げるように傾斜する。カセット１１０は、筐体２００の前壁２５０の一部を画定し、筐体２００に対して、前方に引き出し可能とされる。
【００２８】
ピックアップローラー１１２は、リフト板１１１によって押し上げられたシートＳの先頭縁上に配置される。ピックアップローラー１１２が回転すると、シートＳはカセット１１０から引き出される。
【００２９】
給紙ローラー１１３は、ピックアップローラー１１２の下流に配設される。給紙ローラー１１３は、シートＳを更に下流に送り出す。
【００３０】
中間搬送ローラー１１５は、給紙ローラー１１３のシート搬送方向（以下、単に搬送方向ともいう）の下流（以下、単に下流ともいう）に配設される。中間搬送ローラー１１５は、給紙ローラー１１３によって送り出されたシートＳを更に下流へ搬送する。
【００３１】
レジストローラー対１１６は、シートＳの斜め搬送を矯正する機能を有する。これにより、シートＳ上に形成される画像の位置が調整される。レジストローラー対１１６は、画像形成部１２０による画像形成のタイミングに合わせて、シートＳを画像形成部１２０に供給する。
【００３２】
画像形成部１２０は、感光体ドラム１２１と、帯電器１２２と、露光装置１２３と、現像装置１２４と、トナーコンテナ１２５と、転写ローラー１２６と、クリーニング装置１２７とを備える。
【００３３】
感光体ドラム１２１は、筐体２００に配置され、円筒形状を有する。感光体ドラム１２１は、回転され、周面に静電潜像が形成されるとともに、該静電潜像に応じたトナー画像（トナー像）を担持する。本実施形態では、感体ドラム１２１は、ａ−Ｓｉ（アモルファスシリコン）ドラムである。
【００３４】
帯電器１２２は、所定の電圧が印加され、感光体ドラム１２１の周面を略一様に帯電させる。
【００３５】
露光装置１２３は、帯電器１２２によって帯電された感光体ドラム１２１の周面に、レーザー光を照射する。該レーザー光は、プリンター１００に通信可能に接続されたパーソナルコンピュータなどの外部装置（図示せず）から出力された画像データに従って、照射される。この結果、感光体ドラム１２１の周面には、画像データに対応する静電潜像が形成される。
【００３６】
現像装置１２４は、静電潜像が形成された感光体ドラム１２１の周面にトナーを供給する。現像装置１２４は、現像ローラー１２４Ａと、一対の搬送スクリュー１２４Ｂと、を備える。現像ローラー１２４Ａは、回転され、感光体ドラム１２１にトナーを供給する。搬送スクリュー１２４Ｂは、現像装置１２４内でトナーを循環搬送する。トナーコンテナ１２５は、現像装置１２４へトナーを供給する。現像装置１２４がトナーを感光体ドラム１２１に供給すると、感光体ドラム１２１の周面に形成された静電潜像が現像（可視化）される。この結果、感光体ドラム１２１の周面に、トナー画像が形成される。
【００３７】
転写ローラー１２６は、感光体ドラム１２１に対向して、筐体２００に回転可能に支持されている。転写ローラー１２６は、感光体ドラム１２１の周面に当接することで、感光体ドラム１２１との間で転写ニップ部を形成する。レジストローラー対１１６から搬送されたシートＳが転写ニップ部を通過するときに、感光体ドラム１２１の周面に形成されたトナー画像がシートＳに転写される。
【００３８】
クリーニング装置１２７は、シートＳにトナー画像が転写された後に、感光体ドラム１２１の周面に残るトナーを除去することで、感光体ドラム１２１を清掃する。クリーニング装置１２７によって、清浄化された感光体ドラム１２１の周面は、再度、帯電器１２２の下方を通過し、一様に帯電される。その後、上述のトナー画像の形成が新たに行われる。
【００３９】
用紙検知スイッチ１１７は、レジストローラー対１１６と転写ローラー１２６との間のシート搬送路ＳＰに対向して配置される。用紙検知スイッチ１１７は、シートＳの先端または後端を検知する。
【００４０】
また、プリンター１００は、画像形成部１２０よりも搬送方向下流側に、シートＳ上のトナー画像を定着させる定着装置１３０を備える。定着装置１３０は、シートＳ上のトナーを溶融させる加熱ローラー１３１と、シートＳを加熱ローラー１３１に密着させる圧力ローラー１３２と、を備える。シートＳが加熱ローラー１３１と圧力ローラー１３２との間を通過すると、トナー画像はシートＳに定着される。
【００４１】
プリンター１００は、定着装置１３０の下流に配設された搬送ローラー対１３３（搬送ローラー）と、搬送ローラー対１３３の下流に配設された排出ローラー対１３４（搬送ローラー）と、を更に備える。シートＳは、搬送ローラー対１３３によって上方に搬送され、最終的に、排出ローラー対１３４によって、筐体２００から排出される。筐体２００から排出されたシートＳは、排紙部２１０上に積み重ねられる。
【００４２】
次に、本発明の一実施形態に係る駆動伝達部５Ａ（駆動伝達装置）を含む駆動ユニット５について説明する。図２は、本実施形態に係る駆動ユニット５の背面図である。図３は、本実施形態に係る駆動伝達部５Ａの断面図である。プリンター１００は、駆動ユニット５を備える。
【００４３】
駆動ユニット５は、プリンター１００の筐体２００（図１）の左側の側壁（不図示）に備え付けられている。駆動ユニット５は、プリンター１００の内部のさまざまな回転体を回転駆動させる。図２を参照して、駆動ユニット５は、ハウジング５Ｈと、シャフト５Ｓと、第１伝達ギア５１、第２伝達ギア５２（第４ギア）と、第３伝達ギア５３（第２ギア）と、第４伝達ギア５４（第４ギア）と、第５伝達ギア５５と、現像ギア５６（第４ギア）と、ドラムギア５７と、第６伝達ギア５８（第１ギア）と、第７伝達ギア５９（第３ギア）と、ギアユニット５Ｍと、を備える。
【００４４】
ハウジング５Ｈは、駆動ユニット５の各ギアを回転可能に支持する。シャフト５Ｓ（図３）は、第３伝達ギア５３および第６伝達ギア５８の回転軸心を形成する。シャフト５Ｓは、ハウジング５Ｈのハウジング軸受け部５Ｈ１、５Ｈ２に軸支されている。
【００４５】
第１伝達ギア５１は、ハウジング５Ｈの上側部分に回転可能に支持されている。第１伝達ギア５１は、後記の第１出力ギア６１Ｓと係合されている。第２伝達ギア５２は、第１伝達ギア５１に係合されたギアである。同様に、第３伝達ギア５３は、第２伝達ギア５２に係合されたギアである。また、第４伝達ギア５４は、第３伝達ギア５３に係合されたギアであり、第５伝達ギア５５は、第４伝達ギア５４に係合されたギアである。第５伝達ギア５５は、不図示の回転体に連結され、当該回転体を回転駆動させる。
【００４６】
一方、図２に示すように、第３伝達ギア５３に対して第４伝達ギア５４とは反対側では、現像ギア５６が第３伝達ギア５３に係合されている。現像ギア５６は、現像装置１２４の現像ローラー１２４Ａおよび一対の搬送スクリュー１２４Ｂに回転駆動力を伝達する。
【００４７】
ドラムギア５７は、現像ギア５６の斜め上方において、ハウジング５Ｈに回転可能に支持されている。ドラムギア５７は、不図示のカップリングに連結されている。感光体ドラム１２１が筐体２００に装着されると、当該カップリングが感光体ドラム１２１のフランジ（不図示）に連結される。この結果、ドラムギア５７と一体的に、感光体ドラム１２１が回転駆動される。第６伝達ギア５８は、第３伝達ギア５３と同じ軸線上に配置されたギアである。第６伝達ギア５８は、後記の第２出力ギア６２Ｓと係合されている。また、第７伝達ギア５９は、第６伝達ギア５８に係合されたギアである。更に、第７伝達ギア５９は、ハウジング５Ｈの下側部分に備えられたギアユニット５Ｍに係合されている。ギアユニット５Ｍは、筐体２００内の搬送ローラー対１３３、排出ローラー対１３４などを回転駆動させる。なお、シャフト５Ｓ、第６伝達ギア５８、第３伝達ギア５３および後記の磁石５３Ｇ、５８Ｇによって、本実施形態に係る駆動伝達部５Ａ（駆動伝達装置）が構成される。
【００４８】
更に、プリンター１００は、駆動部６を備える。駆動部６は、プリンター１００の回転体を回転させる回転駆動力を発生する。駆動部６は、第１モーター６１と、第２モーター６２とを備える。第１モーター６１は、ハウジング５Ｈに隣接して、筐体２００に備え付けられている。第１モーター６１は、第１出力ギア６１Ｓを備える。第１出力ギア６１Ｓは、前述の第１伝達ギア５１に係合されている（図２）。第２モーター６２は、ハウジング５Ｈに隣接して、第１モーター６１の下方において、筐体２００に備え付けられている。第２モーター６２は、第２出力ギア６２Ｓ（第３ギア）を備える。第２出力ギア６２Ｓは、前述のドラムギア５７および第６伝達ギア５８に係合されている（図２）。なお、図２の示すように、第２出力ギア６２Ｓの周方向において、第６伝達ギア５８は、ドラムギア５７の反対側において第２出力ギア６２Ｓに係合されている。
【００４９】
図４Ａは、本実施形態に係る第６伝達ギア５８の斜視図である。図４Ｂは、本実施形態に係る第３伝達ギア５３の斜視図である。図３、図４Ａを参照して、第６伝達ギア５８は、シャフト５Ｓのハウジング軸受け部５Ｈ２側において、回転可能に軸支されている。第６伝達ギア５８は、略円板形状からなる回転ギアである。第６伝達ギア５８は、外周ギア部５８１と、軸受け部５８２（第１軸受部）と、側面５８３（第１側面部）と、リング部５８４と、を備える。
【００５０】
外周ギア部５８１は、第６伝達ギア５８の外周部に相当し、不図示のギア歯が形成されている。本実施形態では、第６伝達ギア５８のギア歯は、斜歯ギアである。軸受け部５８２は、第６伝達ギア５８の中央部に形成された軸受である。軸受け部５８２は、シャフト５Ｓに外嵌される。この結果、第６伝達ギア５８がシャフト５Ｓに回転可能に支持される。側面５８３は、第６伝達ギア５８の軸方向の一端側に配置された側面である。リング部５８４は、側面５８３の中央部から軸方向にわずかな高さをもって突出された突出部である。リング部５８４の内周面は、軸受け部５８２に接続されている。
【００５１】
また、図３、図４Ｂを参照して、第３伝達ギア５３は、シャフト５Ｓのハウジング軸受け部５Ｈ１側において、回転可能に軸支されている。第３伝達ギア５３は、略円板形状からなる回転ギアである。第３伝達ギア５３は、外周ギア部５３１と、軸受け部５３２（第２軸受部）と、側面５３３（第２側面部）と、円筒部５３４と、を備える。
【００５２】
外周ギア部５３１は、第３伝達ギア５３の外周部に相当し、不図示のギア歯が形成されている。本実施形態では、第３伝達ギア５３のギア歯は、斜歯ギアである。軸受け部５３２は、第３伝達ギア５３の中央部に形成された軸受である。軸受け部５３２は、シャフト５Ｓに外嵌される。この結果、第３伝達ギア５３がシャフト５Ｓに回転可能に支持される。側面５３３は、第３伝達ギア５３の軸方向の中央部に配置された側面である（図３）。側面５３３は、シャフト５Ｓの軸方向において、第６伝達ギア５８の側面５８３に対向して配置される。円筒部５３４は、側面５３３の中央部から軸方向に所定の高さをもって突出された突出部である。円筒部５３４の内周面は、軸受け部５３２に接続されている。
【００５３】
なお、第６伝達ギア５８が係合されている、第２出力ギア６２Ｓおよび第７伝達ギア５９、ならびに、第３伝達ギア５３が係合されている、第２伝達ギア５２、第４伝達ギア５４および現像ギア５６もそれぞれ斜歯ギアからなる。
【００５４】
更に、プリンター１００は、磁石５８Ｇ（図３、図４Ａ）（第１磁性体）と、磁石５３Ｇ（図３、図４Ｂ）（第２磁性体）とを備える。磁石５８Ｇは、第６伝達ギア５８の側面５８３、詳しくは、リング部５８４の先端部に固定されたリング状の磁石である。本実施形態では、図４Ａに表れている磁石５８Ｇの側面（第３伝達ギア５３の側面５３３に対向する面）は、Ｓ極の磁力を有している。一方、磁石５８Ｇのうちリング部５８４に固定された側面は、Ｎ極の磁力を有している。
【００５５】
磁石５３Ｇは、第３伝達ギア５３の側面５３３、詳しくは、円筒部５３４の先端部に固定されたリング状の磁石である。磁石５３Ｇは、軸方向において磁石５８Ｇに対向して配置される（図３）。本実施形態では、図４Ｂに表れている磁石５３Ｇの側面（第６伝達ギア５８の側面５８３に対向する面）は、Ｓ極の磁力を有している。一方、磁石５８Ｇのうち円筒部５３４に固定された側面は、Ｎ極の磁力を有している。すなわち、図３において、磁石５３Ｇおよび磁石５８Ｇの互いに対向する面には、同じ極性の磁力が備えられている。
【００５６】
なお、図３を参照して、磁石５３Ｇおよび磁石５８Ｇは、それぞれシャフト５Ｓの周囲を覆うように配置されている。また、磁石５８Ｇおよび磁石５３Ｇは、第６伝達ギア５８および第３伝達ギア５３のうち軸方向において最も近接する領域に配置されている。
【００５７】
プリンター１００の使用に伴って、第１モーター６１が回転されると、図２において、第１出力ギア６１Ｓから破線矢印で示されるように、回転駆動力が各ギアに沿って伝達される。特に、第３伝達ギア５３は、第２伝達ギア５２、第４伝達ギア５４および現像ギア５６に係合されているため、第１モーター６１の回転駆動力を現像装置１２４の現像ローラー１２４Ａに伝達する。換言すれば、第３伝達ギア５３は、現像ローラー１２４Ａに回転駆動力を伝達する駆動伝達経路（駆動系）に連結されている。
【００５８】
一方、第２モーター６２が回転されると、図２に示すように、第２出力ギア６２Ｓから実線矢印で示されるように、回転駆動力が各ギアに沿って伝達される。第６伝達ギア５８は、ギアユニット５Ｍに連結された各搬送ローラーに向かって回転駆動力を伝達する。また、第６伝達ギア５８は、感光体ドラム１２１に回転駆動力を伝達する駆動伝達経路（駆動系）に連結されている。
【００５９】
図３を参照して、シャフト５Ｓ上に隣接して配置された第３伝達ギア５３および第６伝達ギア５８が、回転時に接触すると、駆動ユニット５においてギアの回転周期での振動や、ギアの回転むらが発生する。この場合、プリンター１００内の搬送ローラーの回転不良が発生し、シート搬送不良が発生しやすくなる。更に、駆動ユニット５に連結された感光体ドラム１２１や現像ローラー１２４Ａに上記の振動が伝達されると、現像ニップ部において画像欠陥が発生しやすくなる。同様に、感光体ドラム１２１や現像ローラー１２４Ａの回転むらもトナー画像上に帯などの画像欠陥をもたらす。
【００６０】
本実施形態では、このような課題を解決するために、駆動ユニット５（駆動伝達部５Ａ）が、磁石５３Ｇおよび磁石５８Ｇを備えている。このため、駆動ユニット５が駆動され、第３伝達ギア５３および第６伝達ギア５８が回転している際に、同じ極性の磁石５３Ｇおよび磁石５８Ｇによって形成される反発力によって、第３伝達ギア５３と第６伝達ギア５８とが接触することが抑止される。このため、２つのギアの接触によって生じる回転むらや振動の発生が防止される。
【００６１】
また、本実施形態では、磁石５３Ｇおよび磁石５８Ｇは、シャフト５Ｓの周囲を覆うように配置されている。このため、シャフト５Ｓの周辺において、第３伝達ギア５３と第６伝達ギア５８とが接触することが抑止される。このため、２つのギアの接触によって生じる回転むらや振動の発生が特に防止される。また、上記のような振動がシャフト５Ｓおよびハウジング５Ｈからプリンター１００の筐体２００内に伝播することが防止される。
【００６２】
更に、本実施形態では、磁石５３Ｇおよび磁石５８Ｇは、第３伝達ギア５３および第６伝達ギア５８のうち軸方向において最も近接する領域に配置されている。このため、２つのギアの接触によって生じる回転むらや振動の発生が確実に防止される。
【００６３】
なお、磁石５３Ｇおよび磁石５８Ｇの反発力が発生している場合であっても、第３伝達ギア５３および第６伝達ギア５８に軸方向の強い移動力（スラスト力）が付与された場合、第３伝達ギア５３および第６伝達ギア５８がわずかに接触する可能性がある。このような突発的な接触を更に回避するために、本実施形態では、第３伝達ギア５３、第６伝達ギア５８およびこれらと係合するギア（第２伝達ギア５２、第４伝達ギア５４、現像ギア５６、第２出力ギア６２Ｓ、第７伝達ギア５９）が斜歯ギアからなる。そして、第６伝達ギア５８の斜歯と第２出力ギア６２Ｓ、第７伝達ギア５９の斜歯との係合によって、第６伝達ギア５８に付与される軸方向の移動力の向きは、第３伝達ギア５３の斜歯と第２伝達ギア５２、第４伝達ギア５４、現像ギア５６の斜歯との係合によって、第３伝達ギア５３に付与される軸方向の移動力の向きとは反対である。換言すれば、他のギアとの噛み合いによって、第３伝達ギア５３および第６伝達ギア５８が互いに離れる方向の移動力が、第３伝達ギア５３および第６伝達ギア５８に付与される。このため、第３伝達ギア５３および第６伝達ギア５８が回転駆動される際に、斜歯ギアの噛み合いによって、第３伝達ギア５３と第６伝達ギア５８とが接触することが防止される。
【００６４】
更に、前述のとおり、第６伝達ギア５８は、感光体ドラム１２１に回転駆動力を伝達する駆動系に連結され、第３伝達ギア５３は、現像ローラー１２４Ａに回転駆動力を伝達する駆動系に連結されている。このため、２つのギアの接触によって生じる振動によって、トナー像を形成する感光体ドラム１２１と現像ローラー１２４Ａとの間の距離が変動することが抑止される。このため、トナー像の画質欠陥の発生が抑制される。また、第６伝達ギア５８は、搬送ローラー対１３３、排出ローラー対１３４に回転駆動力を伝達する駆動系に連結されている。このため、２つのギアの接触によって生じる振動や回転むらによって、搬送ローラー１３３、１３４の回転が変動することが抑止される。このため、シートＳの搬送不良が抑制される。
【００６５】
以上、本発明の各実施形態に係る駆動伝達部５Ａ（駆動伝達装置）、およびこれを備えたプリンター１００（画像形成装置）について説明した。このような構成によれば、２つのギアの接触によって生じる回転むらや振動の発生が防止された画像形成装置が提供される。なお、本発明はこれに限定されるものではなく、例えば次のような変形実施形態を取ることができる。
【００６６】
（１）上記の実施形態では、図４Ａ、図４Ｂに示すように、磁石５８Ｇがリング部５８４に固定され、磁石５３Ｇが円筒部５３４に固定される態様にて説明したが、本発明はこれに限定されるものではない。図５Ａは、本発明の変形実施形態に係る第６伝達ギア５８の斜視図である。図５Ｂは、本発明の変形実施形態に係る第３伝達ギア５３の斜視図である。なお、本変形実施形態では、先の実施形態と比較して、磁石５８Ｇおよび磁石５３Ｇの配置において相違するため、当該相違点のみについて説明し、共通する点の説明を省略する。図５Ａに示すように、本変形実施形態では、磁石５８Ｇは、側面５８３の壁面に固定されている。特に、磁石５８Ｇは、側面５８３の径方向の中央部に配置されている。また、図５Ｂに示すように、磁石５３Ｇは、側面５３３の外縁部に固定されている。本実施形態においても、第３伝達ギア５３および第６伝達ギア５８がシャフト５Ｓ（図３）に軸支されると、磁石５８Ｇおよび磁石５３Ｇが互いに対向して配置される。そして、同じ極性の磁石５８Ｇおよび磁石５３Ｇによって形成される反発力によって、第６伝達ギア５８と第３伝達ギア５３とが接触することが抑止される。
【００６７】
（２）また、上記の実施形態では、第３伝達ギア５３、第６伝達ギア５８およびこれらに係合するギアが、斜歯ギアからなる態様にて説明したが、本発明はこれに限定されるものではない。これらのギアは、平歯ギアなど他のギア歯形状を備えるものでもよい。
【符号の説明】
【００６８】
１００  プリンター（画像形成装置）
１２１  感光体ドラム
１２４  現像装置
１２４Ａ  現像ローラー
１２６  転写ローラー（転写装置）
１３３  搬送ローラー対（搬送ローラー）
１３４  排出ローラー対（搬送ローラー）
２００  筐体
５  駆動ユニット
５１  第１伝達ギア
５２  第２伝達ギア（第４ギア）
５３  第３伝達ギア（第２ギア）
５３１  外周ギア部
５３２  軸受け部（第２軸受部）
５３３  側面（第２側面部）
５３４  円筒部
５３Ｇ  磁石（第１磁性体）
５４  第４伝達ギア（第４ギア）
５５  第５伝達ギア
５６  現像ギア（第４ギア）
５７  ドラムギア
５８  第６伝達ギア（第１ギア）
５８１  外周ギア部
５８２  軸受け部（第１軸受部）
５８３  側面（第１側面部）
５８４  リング部
５８Ｇ  磁石（第２磁性体）
５９  第７伝達ギア（第３ギア）
５Ａ  駆動伝達部（駆動伝達装置）
５Ｈ  ハウジング
５Ｈ１，５Ｈ２  ハウジング軸受け部
５Ｍ  ギアユニット
５Ｓ  シャフト
６  駆動部
６１  第１モーター
６１Ｓ  第１出力ギア
６２  第２モーター
６２Ｓ  第２出力ギア（第３ギア）
【図１】
2017134204.tif 000003
【図２】
2017134204.tif 000004
【図３】
2017134204.tif 000005
【図４Ａ】
2017134204.tif 000006
【図４Ｂ】
2017134204.tif 000007
【図５Ａ】
2017134204.tif 000008
【図５Ｂ】
2017134204.tif 000009